(57)【特許請求の範囲】
【請求項１】
把持フレームが、シャシー（１）を横切ってシャシー（１）から突出する織機の軸（４）の２つの端（４ａ）によって駆動される連接桿によって制御される型の、織機の把持フレーム（２、３）の往復運動の制御機構にして、シャシー（１）を越えて突出する軸（４）の各端（４ａ）に固定されている４つのクランクアーム（５〜８）は角度的に相互にずらされておりかつクランクアームのクランクピン（５ａ〜８ａ）は軸（４）の幾何学的軸線から一定距離に位置しており、そして２つの短い連接桿（９、１０）及び２つの長い連接桿（１１、１２）は相応するクランクピン（５ａ〜８ａ）及び下方の把持フレーム（２）及び上方の把持フレーム（３）にそれぞれ枢支されていることを特徴とする前記機構。
【請求項２】
各把持フレーム（２、３）が２列の穴（２０ａ、２０ｂ、３０ａ、３０ｂ）を備え、２列の穴に対して相応する連接桿（９〜１２）が、得られるべき１つの水平開口又は複数の斜め開口のいずれかを可能にするように枢支されている、請求項１に記載の機構。
【請求項３】
穴（２０ａ、２０ｂ、３０ａ、３０ｂ）列が織機の中心軸線（Ｘ、Ｘ′）の両側にかつそれぞれ連接桿（９、１０及び１１、１２）の長さに相応した半径を有する円周上に位置している、請求項２に記載の機構。
【請求項４】
連接桿（９〜１２）の端が一方ではクランクピン（５ａ〜８ａ）上にそして他方ではボールベアリング等を介して把持フレーム（２、３）上に枢支されている、請求項１に記載の機構。
【請求項５】
クランクアーム（５〜８）が等しい長さである、請求項１に記載の機構。
【請求項６】
クランクアーム（５〜８）が相異なる長さである、請求項１に記載の機構。
【発明の詳細な説明】
【０００１】
【産業上の利用分野】
本発明は織機の把持フレームの往復運動の制御機構に関する。
【０００２】
【従来の技術】
この種の型の機構では、織機のシャシーを越えて突出しておりかつシャシーを横切る軸の２つの端上に固定されている対の補完的カムによって構成されているものが公知である。各カムは２つの把持フレームに連結された連接桿と関連している揺動レバ上に取付けられたカムフオロアーと協働する。そのような機構は１９９４年３月１０日に出願されたフランス国特許明細書９４．０３０２６号に記載されている。
【０００３】
シャシーの底又は頂上に設けられるそのような機構はカムの周囲とカムフオロアーとの間のかなりの抵抗を生じ、その結果かなりの潤滑を必然的に必要とする。優れた解決は油浴中にカムを置くことから成る。しかしこの解決は組み立てが比較的複雑かつコスト高となる、オイルパン、シール等の存在を必要とする。
【０００４】
【発明が解決しようとする課題】
本発明の課題は、従来技術による欠点を除去し、かつ織機の制御軸と把持フレームとの関係をもたされる連接桿との間において限られた潤滑しか必要としない接続部を構成することである。
【０００５】
【課題を解決するための手段】
この課題は本発明によれば、結局シャシーを越えて突出する織機の軸の各端に、４つのクランクアームが角度を相互にずらされて固定されかつそのクランクアームのクランクピンが織機の軸の幾何学的軸線から一定距離をおいて位置しており、２つの短い連接桿と２つの長い連接桿とが前記クランクピン及び下方の把持フレーム及び上方の把持フレームにそれぞれ枢支されている機構によって解決される。
【０００６】
上記の条件下で連接桿は潤滑を必要とせず従って大気中で作用することができるシールされたボールベアリングによってクランクピン上に枢支されている。
【０００７】
【実施例】
図を参照すれば、織機のフレーム１は２つの把持フレームを有する。下方のフレームは２、そして上方のフレームは３で表される。
【０００８】
相応する織機の軸によって通常の方法で駆動される機構を制御するための軸４の各端４ａには等しい長さの４つのクランクアーム５、６、７及び８が固定されており、各々はそれらの自由端に１つのクランクピン５ａ、６ａ、７ａ、８ａを有する。勿論、４つのクランクアーム５、６、７、８が等しい長さを有する場合、水平開口（ｌｅｖｅｌ  ｓｈｅｄ）が得られる。斜め開口（ｏｂｌｉｑｕｅ
ｓｈｅｄ）は一般に後で開発され、そしてかかる条件下ではアーム５、６、７及び８は所望の中間の傾斜（ｍｅａｎ  ｏｂｌｉｑｕｉｔｉｅｓ）に適用されるように相異なる長さである。クランクアーム５〜８は所要の角度だけずらされており、その結果一方のクランクピン、即ちクランクピン５ａ、６ａは他端が把持フレーム２に枢支された短い連接桿９、１０の一端と連結される。同様にクランクピン５ａ、６ａに向かい合う他方のクランクピン７ａ及び８ａは、その他端が上方の把持フレーム３に枢支されている長い連接桿１１、１２の一端に枢支されている。
【０００９】
４つの連接桿は連接桿の相応する端と協働するボールベアリングで回転するようにされたピンを介して２つのフレームに枢支されている。連接桿９、１０のピンは１３、１４で表わされ、一方連接桿１１、１２のピンは１５、１６で表わされる。
【００１０】
本発明によれば、２つの把持フレーム２、３は各々その２つの向かい合う端にそれぞれ２列の穴２０ａ、２０ｂ、３０ａ、３０ｂを有し、２列の穴２０ａ、２０ｂ、３０ａ、３０ｂは連接桿９、１０、１１、１２の長さと等しい曲率の円周上にそれぞれ分配されている。各把持フレームの２列の穴は当該フレームの中心軸線Ｘ、Ｘ′のいずれかの側に配設されていることが分かる。
【００１１】
図中、ピン１３、１４及び１５、１６はそれぞれ２つの把持フレームの穴に係合しており，その結果把持フレームは水平開口を形成するために互いに平行な往復運動を行う。斜め開口が必要とされる場合、把持フレームの穴列のピンの位置を変えることで十分であり、その結果ピンは得られるべき斜め開口を可能にするように選択された斜め位置を占める。
【００１２】
クランクアーム５〜８のクランクピン５ａ〜８ａとピン１３〜１６の双方はシールされたボールベアリングによって連接桿９〜１２に枢支され、その結果これらの組み立ては簡単で、経済的でかつ保守が容易であり、従ってコストが安い。追加的にカム及びカムフオロアーの高さに把持フレームを制御するための公知の機構を基礎としかつこれと複合して行われる調整は本発明によれば、把持フレームの高さに迅速かつ簡単に移行され、こうして調整は特別に容易につくられることができる。
【００１３】
その上、前記記載は例によって示されかつ他の同等なものによって記載された実施形態の詳細と置換することによって周辺を特定されうる本発明の範囲を限定するものではない。
【００１４】
【発明の効果】
本発明の課題は、特許請求の範囲第１項から第６項までに記載された構成によって解決され、その際本発明による機構によれば、シャシーを越えて突出する織機の軸の各端に、４つのクランクアームが角度を相互にずらされて固定されかつそのクランクアームのクランクピンが軸の幾何学的軸線から一定距離をおいて位置しており、２つの短い連接桿と２つの長い連接桿とが前記クランクピン及び下方の把持フレーム及び上方の把持フレームにそれぞれ枢支されている。
【００１５】
上記の条件の下に連接桿は潤滑を必要とせず従って大気中で作用するシールされたボールベアリングによってクランクピンに枢支されることにより織機の把持フレームの円滑な往復運動が実現されることができる。
【図面の簡単な説明】
【図１】本発明による把持フレームの往復運動の制御機構を有する織機の制御軸の端の１つの図式的側面図である。
【符号の説明】
１  把持フレーム
２  下方の把持フレーム
３  上方の把持フレーム
４  軸
５  クランクアーム
５ａ  クランクピン
６  クランクアーム
６ａ  クランクピン
７  クランクアーム
７ａ  クランクピン
８  クランクアーム
８ａ  クランクピン
９  短い連接桿
１０  短い連接桿
１１  長い連接桿
１２  長い連接桿
１３  ピン
１４  ピン
１５  ピン
１６  ピン
２０ａ  穴
２０ｂ  穴
３０ａ  穴
３０ｂ  穴
Ｘ  中心軸線
Ｘ′  中心軸線
【図１】
0003545831.tif 000002